(57)【要約】【課題】信号源側の機器に負荷をかけることなく表示画面に表示された画像の任意の部分を拡大して表示画面に表示することのできる部分拡大機能を備えた表示装置を提供する。【解決手段】スケーリング処理部１４はＣＰＵ１３から領域指定情報を受けると、当該領域指定情報から、現在、ＬＣＤユニット１８に表示している画像に対する部分拡大の対象領域を認識し、当該対象領域の画像をＬＣＤユニット１８の表示解像度に合わせて拡大処理し、部分拡大した画像をＬＣＤユニット１８に表示する。【選択図】      図１
0003115546.tif 000002
【実用新案登録請求の範囲】
【請求項１】
外部より入力された映像信号に従う画像を所定の解像度を有するドットマトリクス構成の表示面に表示する表示装置であって、
前記表示面に表示された画像の一部の領域を指定した情報を入力する入力手段と、
前記入力手段に入力された情報により指定された領域の画像を拡大処理して前記表示面に表示する部分拡大処理手段と
を具備することを特徴とする表示装置。
【請求項２】
前記入力手段は、外部から無線若しくは有線で伝送される情報を入力する外部インタフェースにより構成される請求項１記載の表示装置。
【請求項３】
前記入力手段は、前記表示面に表示された画像の一部領域を指定する情報を設定する設定画面を前記表示面に表示する処理手段と、
前記設定画面に設定された情報を入力する処理手段とを有するユーザインタフェースにより構成される請求項１記載の表示装置。
【請求項４】
前記部分拡大処理手段は、前記指定された領域の画像を前記表示面の解像度に合わせて拡大処理する処理手段を具備する請求項１または２記載の表示装置。
【請求項５】
前記部分拡大処理手段は、前記表示面の解像度と同等あるいは異なる解像度の画像データを入力し、前記画像データを前記表示面の解像度に合わせて拡大若しくは縮小する処理手段を具備する請求項１または２記載の表示装置。
【考案の詳細な説明】
【技術分野】
【０００１】
本考案は、例えば医療用、工業用等に適用される液晶ディスプレイ、プラズマディスプレイ等のディスプレイモニタに用いて好適な表示装置に関する。
【背景技術】
【０００２】
液晶表示装置（液晶ディスプレイ）の表示画面（表示面）に表示された画像の任意の部分を拡大して表示する場合、当該液晶表示装置に表示データを供給する信号源側（パーソナルコンピュータ本体やワークステーション等）の機器内で画像の拡大処理を行い、その拡大処理した表示用の画像データを液晶表示装置に供給して、液晶表示装置の表示画面に部分拡大画像を表示させている。
【０００３】
パーソナルコンピュータに於ける、ウィンドウの表示制御に関しては、例えば、表示モニタの表示解像度を高い解像度から低い解像度へ変化させるときに、その変更後の解像度が、表示しているウィンドウよりも低い場合のみ、表示しているウィンドウの大きさを、画面からはみ出さないように、ＯＳが変更する技術が存在する。また、複数の表示モニタを対象としたウィンドウのサイズ変更技術に関しては、例えばウィンドウを一つずつ選択してプレゼンテーション用の表示画面に拡大し表示する技術が存在する。
【特許文献１】特開２０００−３３９１３０号公報
【考案の開示】
【考案が解決しようとする課題】
【０００４】
上述したように、従来では、液晶表示装置の表示画面に表示された画像の任意の部分を拡大して表示する場合、当該液晶表示装置に表示データを供給するパーソナルコンピュータ本体やワークステーション等の信号源側の機器内で画像の拡大処理を行い、その拡大処理した表示データを液晶表示装置に供給していた。従って信号源側の機器に、拡大表示のためのアプリケーションソフトウェアやハードウェアが必要となり、液晶表示装置に表示された画像を部分拡大する機能を実現する際に、信号源側の機器が特定されるとともに、信号源側の機器にかかる処理負荷が増大するという問題があった。また、医療用、工業用等のディスプレイモニタにおいて、表示画面に表示された画像の任意の一部を拡大して目視確認したい場合に、その操作をモニタ側で画像を目視した状態で簡単に行うことができないという問題があった。
【０００５】
本考案は上記実情に鑑みなされたもので、信号源側の機器に負荷をかけることなく表示画面に表示された画像の任意の部分を拡大して表示画面に表示することのできる部分拡大機能を備えた表示装置を提供することを目的とする。
【課題を解決するための手段】
【０００６】
本考案は、外部より入力された映像信号に従う画像を所定の解像度を有するドットマトリクス構成の表示面に表示する表示装置であって、前記表示面に表示された画像の一部の領域を指定した情報を入力する入力手段と、前記入力手段に入力された情報により指定された領域の画像を拡大処理して前記表示面に表示する部分拡大処理手段とを具備することを特徴とする。
【考案の効果】
【０００７】
本考案によれば、信号源側の機器に負荷をかけることなく表示画面に表示された画像の任意の部分を拡大して表示画面に表示することができる。また、医療用、工業用等のディスプレイモニタに適用した場合に、モニタ側の簡単な操作で、表示画面に表示された画像の任意部分を画像を目視した状態で任意に拡大して目視確認できる。また、カラーカメラで撮影した画像をディスプレイモニタに表示している状態で、そのモニタ画面に表示した画像（カメラ映像）の任意部分をモニタ側で任意に拡大して表示することができる。
【考案を実施するための最良の形態】
【０００８】
以下図面を参照して本考案の実施形態を説明する。尚、この実施形態では、ＳＸＧＡの解像度をもつドットマトリクス（１２８０×１０２４ドット）構成の表示面（表示画面）を備えた液晶表示装置（液晶ディスプレイ）を例に採って説明を行うが、これに限らず、任意の解像度をもつ、例えばプラズマディスプレイ、ＳＥＤ（Surface-conduction Electron-emitter Display）等のパネルディスプレイに於いても本考案を適用可能である。
【０００９】
本考案の実施形態に係る表示装置の構成を図１に示す。図１に示す液晶表示装置（液晶ディスプレイ）１０は、外部入力インタフェース部１１、アナログ／デジタルインタフェース部１２、ＣＰＵ１３、スケーリング処理部１４、メモリ１５、ＯＳＤ（on screen display）処理部１６、操作部（ＫＢ）１７、ＬＣＤ（Liquid Crystal Display）ユニット１８等の構成要素を具備する。
【００１０】
外部入力インタフェース部１１は、有線若しくは無線による伝送手段を介して外部から送られてきた情報を受け付ける入力インタフェース機能をもつもので、例えばＲＳー２３２Ｃ、ＲＳー４２２、ＬＡＮ、ブルートゥース、若しくは赤外線（ＩｒＤＡ）等の伝送手段を介して、ＬＣＤユニット１８（の表示画面）に表示された画像の任意の一部領域を部分拡大領域として指定する情報（領域指定情報）を入力する外部インタフェース機能をもつ。ここでは外部入力インタフェース部１１で受け付ける領域指定情報を、部分拡大の対象となる矩形領域の対角線上の頂点（左上、右下）位置を示すピクセル単位の位置情報（矩形の左上のｘ・ｙピクセル位置、右下のｘ・ｙピクセル位置）とするが、これに限らず、例えば、表示画面を縦・横に複数ピクセル単位（ｊ×ｋピクセル）で分割して、その分割された領域（ブロック）を単位に、任意の領域を指定することも可能であり、この際はブロック単位の位置指定情報を扱うことになる。
【００１１】
アナログ／デジタルインタフェース部１２は、外部から入力された映像信号を入力し、内部処理用のデータに変換する処理機能をもつもので、ここでは、カラーカメラ、映像ソース機器等から、カラー映像信号（Ｒ・Ｇ・Ｂ）と、水平・垂直同期信号（Ｈ・Ｖ）とを入力する。ここではアナログ／デジタルインタフェース部１２で変換処理した情報を単に画像データと称す。
【００１２】
ＣＰＵ１３は、表示装置全体の制御を司るもので、外部入力インタフェース部１１、アナログ／デジタルインタフェース部１２、操作部（ＫＢ）１７等の入力情報をもとにスケーリング処理部１４、ＯＳＤ処理部１６等を制御して、アナログ／デジタルインタフェース部１２に入力された映像信号をＬＣＤユニット１８に表示する。この実施形態では、アナログ／デジタルインタフェース部１２に入力されたＲＧＢ映像信号に従う画像がスケーリング処理部１４を介してＬＣＤユニット１８に表示（等倍表示）されているとき、この表示画像の一部が、外部入力インタフェース部１１に入力された領域指定情報、若しくはＯＳＤ処理部１６、操作部（ＫＢ）１７等を用いた後述するユーザインタフェースにより設定された領域指定情報により指定されると、この領域指定情報をスケーリング処理部１４に渡し、スケーリング処理部１４に部分拡大の処理を実行させる。
【００１３】
スケーリング処理部１４は、例えばＦＰＧＡ（Field Programmable Gate Array）により実現されるもので、ここでは、ＣＰＵ１３からの指示に従い、アナログ／デジタルインタフェース部１２で変換処理した画像データを部分拡大してＬＣＤユニット１８に表示する処理機能をもつ。また外部から入力された、例えばＶＧＡ（６４０×４８０ドット）、ＳＶＧＡ（８００×６００ドット）、ＸＧＡ（１０２４×７６８ドット）、ＷＸＧＡ（１２８０×８００ドット）、ＷＳＸＧＡ＋（１６８０×１０５０ドット）等の画像データをＬＣＤユニット１８の表示解像度（１２８０×１０２４）に変換して表示する拡大処理機能をもつ。
【００１４】
メモリ１５は、スケーリング処理部１４の画像処理に供される作業領域を提供するとともに、スケーリング処理部１４が部分拡大した画像データを保存する画像データ領域を提供する。
【００１５】
ＯＳＤ処理部１６は、ＣＰＵ１３の制御の下に、ＬＣＤユニット１８に表示された画像に対して部分拡大する領域を指定するためのユーザインタフェースを提供する。ここでは、一例として、操作部（ＫＢ）１７に設けられた図２に示すメニューボタン１７ａの押下により、ＬＣＤユニット１８に表示されている画像上に、図２（ｂ）に示すようなメインメニュー２１を表示し、さらにメインメニュー２１上で、操作部（ＫＢ）１７の操作により「部分拡大」が選択されると、図２（ｃ）に示すような部分拡大の設定画面２２が表示される。この部分拡大の設定画面２２上で、現在表示されている画像に対して部分拡大する領域が設定されると、その設定された部分拡大領域の情報がＣＰＵ１３に読み込まれ、領域指定情報としてスケーリング処理部１４に送出される。ここでは、一例として、部分拡大の設定画面２２上で、画面の縦・横方向にそれぞれ１ピクセル（１ドット）単位で領域を設定可能にし、設定画面２２上で入力されたピクセル単位の領域がＬＣＤユニット１８に表示された、部分拡大の切り出し対象となる画像上に反映して表示されるガイド機能をもつ。このユーザインタフェース以外に、例えば、マウス等のポインティングデバイスを用いた座標指定により、ＬＣＤユニット１８に表示された画像上で部分拡大の対象となる領域を指定するユーザインタフェース、さらにはこのポインティングデバイスを用いた領域指定を設定画面２２上に確認情報として表示するユーザインタフェース等も適用可能である。
【００１６】
操作部（ＫＢ）１７は、液晶表示装置１０の各種操作入力に供される操作ボタン（キー）をもつもので、ここでは上記したユーザインタフェースを実現するための、図２（ｂ）に示すようなメインメニュー２１を呼び出すためのメニューボタン１７ａを含む各種の操作ボタン（キー）が設けられる。
【００１７】
ＬＣＤユニット１８は、ここではＳＸＧＡの解像度を有するドットマトリクス構成（１２８０×１０２４ドット）の表示面（表示画面）をもつもので、ＣＰＵ１３の制御の下に、スケーリング処理部１４で処理した画像、ＯＳＤ処理部１６で生成した各種の画面、ガイドメッセージ等を表示面上に表示出力する。
【００１８】
図２は本考案の実施形態に係る部分拡大処理の状態遷移図である。図中、２１は「部分拡大」の選択項目を含むメインメニュー、２２はメインメニュー２１で「部分拡大」が選択された際に表示される部分拡大の設定画面であり、それぞれＣＰＵ１３の制御の下にＯＳＤ処理部１６により生成される。
【００１９】
図３は本考案の実施形態に係る部分拡大処理の処理手順を示すフローチャートである。
【００２０】
ここで上記各図を参照して本考案の実施形態に係る液晶表示装置１０の部分拡大処理動作について説明する。
【００２１】
外部から入力されたＲＧＢ映像信号は、アナログ／デジタルインタフェース部１２で内部処理用の画像データに変換された後、スケーリング処理部１４を介してＬＣＤユニット１８に送られ、入力された映像信号に従う画像がＬＣＤユニット１８に表示される（図２（ａ）参照）。
【００２２】
上記入力された映像信号に従う画像がＬＣＤユニット１８に表示されている状態で、外部入力インタフェース部１１、または上述した内部のユーザインタフェースにより部分拡大のための領域指定が行われると（図２（ｂ）〜（ｃ）参照）、その領域指定に従う領域指定情報がＣＰＵ１３を介してスケーリング処理部１４に供給される（図３ステップＳ１１〜Ｓ１４）。
【００２３】
スケーリング処理部１４はＣＰＵ１３から領域指定情報を受けると、当該領域指定情報から、現在、ＬＣＤユニット１８に表示している画像に対する部分拡大の対象領域を認識し、当該対象領域の画像をＬＣＤユニット１８の表示解像度に合わせて拡大処理し、部分拡大した画像をＬＣＤユニット１８に表示する（図２（ｄ）参照）（図３ステップＳ１５〜Ｓ１６）。この拡大処理された画像データはユーザの指定によりメモリ１５の画像データ領域に保存可能である。また、ＬＣＤユニット１８に部分拡大画像が表示されている状態（図２（ｄ）参照）で、メインメニュー２１が呼び出され、メインメニュー２１上で「部分拡大解除」が選択されると、部分拡大解除の指示がＣＰＵ１３からスケーリング処理部１４に通知されて、ＬＣＤユニット１８の表示画像が部分拡大表示前の画像に戻る（図３ステップＳ１７〜Ｓ１８）。
【００２４】
このようにして、信号源側の機器に負荷をかけることなくＬＣＤユニット１８に表示された画像の任意の部分を拡大してＬＣＤユニット１８に表示することができる。上記した液晶表示装置１０を例えば医療用、工業用等のディスプレイモニタに適用することによって、モニタ側の簡単な操作で、表示画面に表示された画像の任意部分を画像を目視した状態で任意に拡大して目視確認できる。また、カラーカメラで撮影した画像をＬＣＤユニット１８にモニタ表示している状態で、そのモニタ表示された画像（カメラ映像）の任意部分をモニタ側で任意に拡大して表示することができ、その部分拡大した画像データを必要に応じて保存することができる。
【図面の簡単な説明】
【００２５】
【図１】本考案の実施形態に係る液晶表示装置の構成を示すブロック図。
【図２】上記実施形態に係る液晶表示装置の部分拡大処理の操作手順を示す説明図。
【図３】上記実施形態に係る液晶表示装置の部分拡大処理手順を示すフローチャート。
【符号の説明】
【００２６】
１０…液晶表示装置、１１…外部入力インタフェース部、１２…アナログ／デジタルインタフェース部、１３…ＣＰＵ、１４…スケーリング処理部、１５…メモリ、１６…ＯＳＤ（on screen display）処理部、１７…キーボード（ＫＢ）、１７ａ…メニューボタン、１８…ＬＣＤ（Liquid Crystal Display）ユニット、２０…表示画面、２１メインメニュー、２２…部分拡大の設定画面。
【図１】
0003115546.tif 000003
【図２】
0003115546.tif 000004
【図３】
0003115546.tif 000005